(57)【特許請求の範囲】
【請求項１】
容器の円筒状の口部に回転して装着するキャップ本体の下方に柱部を介して開封認知用のリングを一体に形成し、該リングはキャップを開封方向へ回転したときのみ容器の円筒状の口部外周面に係止される機構を有し、前記キャップを開封すると前記リングの一部が破断するプラスチックキャップにおいて、容器に装着する前の前記開封認知用のリングの水平面の形状が楕円形であり、容器に装着した後の前記リングが容器の円筒状口部外周面に沿ってほぼ円形となるように構成されていて、前記キャップ本体と開封認知用のリングとが、キャップ本体の円周上の対向する二箇所の柱部で連結され、前記リングには、その楕円の長径部側に薄肉部が形成されると共に、その内周面に、キャップを開封方向へ回転したときのみ容器の円筒状の口部外周面に係止される係止突起を設けたことを特徴とする開封認知部材付きプラスチックキャップ。
【発明の詳細な説明】
【０００１】
【発明の属する技術分野】
本発明は、瓶等の容器の口部に再封可能に装着するキャップであって、内容物を充填した容器のキャップが開封されたことを認知できるプラスチックキャップに関するものである。
【０００２】
【従来の技術】
飲料を充填した容器のキャップを一旦開封したことが検知できる開封認知部材付きキャップが、特公昭５９−１８２６８号公報に開示されている。
この開封認知部材付きキャップは、図５に断面図で示すように、容器口部外周に形成した雄ねじに螺合する雌ねじと封緘部とを有するキャップ３０に、複数のブリッジ４１を介してリング４０を接続し、この接続部位のリング４０の両側にスパン４２と刻み目５０を形成したものであって、このリング付きキャップを飲料を充填した容器口部に、キャップ３０を時計方向に回転して装着する。この際、ブリッジ４１が図５において右方に移動し、リング４０は、その刻み目５０が拡開する傾向となって径が増大するので、容器口部の周りを摺動して容器に装着される。
【０００３】
容器に装着したキャップを開封するには、キャップ３０を反時計方向に回転させる。この際、ブリッジ４１が図５において左方に移動し、リング４０の刻み目５０が閉じる傾向となり、リング４０は、その径が縮小して容器口部の周りに締め付けられる。
スパン４２の破断強度をブリッジ４１の破断強度より低く設定することにより、キャップを開封する際にリング４０のスパン４２が破断し、リング４０はキャップ３０にブリッジ４１で接続されたまま容器から取り外される。
【０００４】
また、実開昭５４−６４６４６号公報には、蓋本体の下方に蓋のねじ外し方向のみに係合するラチェットを内周面に形成した開封認知環を設け、この開封認知環の一部に易開離部を形成した開封認知部材付き容器蓋が記載されている。
【０００５】
【発明が解決しようとする課題】
上記の従来技術は、いずれも飲料を充填した容器のキャップを一旦開封したことが検知可能であると共に、使用済み容器から容器とは異種材料製の開封認知部材がキャップと共に取り外せるので、容器のリサイクルに利点がある。
しかし、いずれの開封認知部材も容器口部の外周形状に対応した円環状に形成したもので、一旦開封した状態では、開封認知部材が元の円環状に戻り、その破断跡が一本の切れ目となるので、開封認知部材を特別注意して見ないと、その破断跡を見逃してしまう恐れがある。
【０００６】
本発明は、開封したときにキャップ本体と開封認知部材とが一体となって容器から取り外されると共に、一旦開封したことが容易に検知できる開封認知部材付きプラスチックキャップを提供することを目的とする。
【０００７】
【課題を解決するための手段】
本発明は、容器の円筒状の口部に回転して装着するキャップ本体の下方に柱部を介して開封認知用のリングを一体に形成し、該リングはキャップを開封方向へ回転したときのみ容器の円筒状の口部外周面に係止される機構を有し、前記キャップを開封すると前記リングの一部が破断するプラスチックキャップであって、容器に装着する前の前記開封認知用のリングの水平面の形状が楕円形であり、容器に装着した後の前記リングが容器の円筒状口部外周面に沿ってほぼ円形となるように構成されていて、前記キャップ本体と開封認知用のリングとが、キャップ本体の円周上の対向する二箇所の柱部で連結され、前記リングには、その楕円の長径部側に薄肉部が形成されると共に、その内周面に、キャップを開封方向へ回転したときのみ容器の円筒状の口部外周面に係止される係止突起を設けた開封認知部材付きプラスチックキャップである。
【０００８】
【発明の実施の形態】
図１は、本発明のプラスチックキャップの一例を示す正面図、図２は、図１のＸ−Ｘ線の断面図である。
本発明のプラスチックキャップ１は、高・中・低密度ポリエチレン、ポリプロピレン等の合成樹脂を射出成形により製作したもので、キャップ本体２とリング３とが、柱部４を介して繋って一体に成形される。
キャップ本体２の水平面形状は、通常のキャップと同様に円形であるが、リング３は楕円形とし、その上端とキャップ本体２の下端面を１８０度の間隔を置いて２本の柱部４で繋いである。
【０００９】
リング３の内面には、楕円形の長径と短径の位置に一方向係止突起６が９０度の間隔で四箇所に設けられ、この係止突起６は、キャップ本体２を容器の口部の雄ねじに螺合する方向（図２における時計方向）の回転先端側を緩い傾斜面とし、その反対側を段状の係止面としてある。
また、リング３の外周面には、楕円の長径側の係止突起６と柱部４との間の部位に、小幅の薄肉部５が１８０度の間隔を置いて二箇所に形成され、この薄肉部５の捩りに対する破断強度は、柱部４の捩りに対する破断強度よりも低くなるようにしてある。
【００１０】
図３は、図１のキャップを容器口部に取付けた状態を示す正面図で、右側を半裁断面としてある。図４は、図３のＹ−Ｙ線での断面図である。
容器本体１０は、ポリエチレンテレフタレート製のブローボトルやガラス瓶等の口部外周に雄ねじを形成し、キャップ本体２の雌ねじ９を容器本体１０の円筒状の口部１１に螺合したときに、口部１１の上端とキャップ本体２の天面内側に形成した環状突起８とが当接し、また、口部１１の内面がキャップ本体２の嵌入部７に嵌合して密封性を得る構成としてある。
【００１１】
また、容器本体１０には、口部１１の雄ねじの下方外周に係止突起１２を９０度の間隔で形成し、この係止突起１２は、リング３の内周面に形成した係止突起６とは円周方向逆向きの形状とし、キャップ本体２を容器口部の雄ねじに螺合する方向（図４における時計方向）に回転させたときには、係止突起６と係止突起１２とが緩い傾斜面同士で接触して滑り越えるので、キャップ本体２の螺合が許容される。
開封時にキャップ本体２を反時計方向へ回転すると、リング３の係止突起６の段状の係止面が容器本体１０の係止突起１２の段状の係止面で係止される。
また、容器本体１０の各係止突起１２の頂点を繋ぐ仮想円の円周長をリング３の楕円形の内周の長さとほぼ同じ長さとし、プラスチックキャップ１を容器本体１０に装着したときに、リング３の水平面形状が容器口部の外周面に沿って、ほぼ円形となるようにしてある。
【００１２】
内容物を充填した容器本体１０にプラスチックキャップ１を被せて時計方向に回転させ、ねじ部の螺合が進行すると、リング３の楕円短径部に形成された一対の係止突起６の下端が容器の口部１１の係止突起１２の上面に当るが、緩い傾斜面同士が接触してリング３の係止突起６は半径方向外方に拡がり、口部１１の係止突起１２を滑って乗り越える。
一方、リング３の楕円長径部に形成された一対の係止突起６は、半径方向内方に狭まり、楕円形であったリング３は、図４に示すように、ほぼ円形となり、プラスチックキャップ１の装着が完了すると、図３に示すように、キャップ本体２の上部において口部１１が密封される。
【００１３】
内容物を充填した容器１０を開封するときに、キャップ本体２を反時計方向へ回転させると、リング３の係止突起６が容器本体１０の係止突起１２に係止されてリング３の回転が止るので、回転力が柱部４からリングの薄肉部５に加わって一方の薄肉部５が破断する。
リング３は、弾性のあるプラスチックで楕円形に形成され、容器の口部１１に装着されたときに円形に変形されているので、薄肉部５の破断によって元の楕円形に戻ろうとする。このため破断跡が開いて半径方向外方に突出する。
したがって、開封されたことが一目瞭然に視認でき、不正開封されたことを極めて容易に検知するすることができる。
【００１４】
上記の実施態様では、薄肉部５を楕円形に形成したリング３の長径部の近傍に設けてあるので、薄肉部５が破断したときに、その破断跡が外方に向かって大きく移動し、破断跡の検知が極めて容易になる。
また、キャップ本体２を容器の口部１１に装着する手段は、上記の実施態様の螺合に限らず、キャップ本体２を回転して装着する手段であればよく、開封時においてリング３を容器口部に係止する手段についても、図５について説明した従来の機構や前記したラチェットを使用する従来の機構を採用することができる。
【００１５】
【発明の効果】
本発明は、開封したときにキャップ本体と開封認知部材のリングとが一体となって容器から取り外されるので、容器のリサイクルに利点があると共に、一旦開封すると、リングの破断跡が外方に大きく変形するので、不正開封を極めて容易に検知できる。
【図面の簡単な説明】
【図１】本発明のプラスチックキャップの一例を示す正面図。
【図２】図１のＸ−Ｘ線の断面図。
【図３】図１のキャップを容器口部に取付けた状態を示す正面図。
【図４】図３のＹ−Ｙ線の断面図。
【図５】従来の開封認知部材付きキャップの縦断面図。
【符号の説明】
１：プラスチックキャップ  ２：キャップ本体  ３：リング  ４：柱部  ５：薄肉部  ６：係止突起  ７：嵌入部  ８：環状突起  ９：雌ねじ  １０：容器本体  １１：口部  １２：係止突起
【図１】
0004623691.tif 000002
【図２】
0004623691.tif 000003
【図３】
0004623691.tif 000004
【図４】
0004623691.tif 000005
【図５】
0004623691.tif 000006